(57)【要約】  本発明にかかる被監視者監視システムは、子装置および親装置を用いて被監視者を監視する。この被監視者監視システムでは、前記親装置と前記子装置それぞれとの間で、相互に、オペレーティングシステム上で動作する所定のアプリケーションソフトウェアの動作状態を問い合わせるための問合せ通信信号を送受信し、前記所定のアプリケーションソフトウェアの動作（動作中）を判定すると、前記アプリケーションソフトウェアの動作を通知するための動作通知通信信号を送受信する。
2016199503.tif 000002
【特許請求の範囲】
【請求項１】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置であって、
通信するための第１通信部と、
前記子装置のオペレーティングシステム上で動作する所定のアプリケーションソフトウェアの動作状態を問い合わせるための第１問合せ通信信号を前記子装置へ前記第１通信部で送信し、前記第１問合せ通信信号に対して前記子装置から応答があったか否かを判定する第１問合せ処理部と、
自機のオペレーティングシステム上で動作する所定のアプリケーションソフトウェアの動作状態を判定する第１動作状態判定処理部と、
オペレーティングシステム上で動作する所定のアプリケーションソフトウェアの動作状態を問い合わせるための第２問合せ通信信号を前記子装置から前記第１通信部で受信した場合に、前記第１動作状態判定処理部に前記アプリケーションソフトウェアの動作状態を判定させ、前記第１動作状態判定処理部が前記アプリケーションソフトウェアの動作を判定した場合に、前記アプリケーションソフトウェアの動作を通知するための第１動作通知通信信号を、前記第２問合せ通信信号の送信元の子装置へ前記第１通信部で送信する第１動作通知処理部とを備える、
被監視者監視システムの親装置。
【請求項２】
前記第１問合せ処理部は、前記第１問合せ通信信号に対する返信の無い子装置があった場合に、前記第１問合せ通信信号に対する返信の無い子装置があった旨を出力させるための不応答出力指令通信信号を、前記ユーザインターフェースを持つ前記子装置へ送信する、
請求項１に記載の被監視者監視システムの親装置。
【請求項３】
前記ユーザインターフェースを持つ前記子装置は、前記ユーザインターフェースの１つとして表示装置を備える、
請求項１または請求項２に記載の被監視者監視システムの親装置。
【請求項４】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置であって、
通信するための第２通信部と、
前記親装置のオペレーティングシステム上で動作する所定のアプリケーションソフトウェアの動作状態を問い合わせるための第２問合せ通信信号を前記親装置へ前記第２通信部で送信し、前記第２問合せ通信信号に対して前記親装置から応答があったか否かを判定する第２問合せ処理部と、
自機のオペレーティングシステム上で動作する所定のアプリケーションソフトウェアの動作状態を判定する第２動作状態判定処理部と、
オペレーティングシステム上で動作する所定のアプリケーションソフトウェアの動作状態を問い合わせるための第１問合せ通信信号を前記親装置から前記第２通信部で受信した場合に、前記第２動作状態判定処理部に前記アプリケーションソフトウェアの動作状態を判定させ、前記第２動作状態判定処理部が前記アプリケーションソフトウェアの動作を判定した場合に、前記アプリケーションソフトウェアの動作を通知するための第２動作通知通信信号を、前記親装置へ前記第２通信部で送信する第２動作通知処理部とを備える、
被監視者監視システムの子装置。
【請求項５】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置の動作状態監視方法であって、
前記子装置のオペレーティングシステム上で動作する所定のアプリケーションソフトウェアの動作状態を問い合わせるための第１問合せ通信信号を前記子装置へ送信し、前記第１問合せ通信信号に対して前記子装置から応答があったか否かを判定する第１問合せ処理工程と、
自機のオペレーティングシステム上で動作する所定のアプリケーションソフトウェアの動作状態を判定する第１動作状態判定処理工程と、
オペレーティングシステム上で動作する所定のアプリケーションソフトウェアの動作状態を問い合わせるための第２問合せ通信信号を前記子装置から前記第１通信部で受信した場合に、前記第１動作状態判定処理部に前記アプリケーションソフトウェアの動作状態を判定させ、前記第１動作状態判定処理部が前記アプリケーションソフトウェアの動作を判定した場合に、前記アプリケーションソフトウェアの動作を通知するための第１動作通知通信信号を、前記第２問合せ通信信号の送信元の子装置へ送信する第１動作通知処理工程とを備える、
被監視者監視システムにおける親装置の動作状態監視方法。
【請求項６】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置の動作状態監視方法であって、
前記親装置のオペレーティングシステム上で動作する所定のアプリケーションソフトウェアの動作状態を問い合わせるための第２問合せ通信信号を前記親装置へ送信し、前記第２問合せ通信信号に対して前記親装置から応答があったか否かを判定する第２問合せ処理工程と、
自機のオペレーティングシステム上で動作する所定のアプリケーションソフトウェアの動作状態を判定する第２動作状態判定処理工程と、
オペレーティングシステム上で動作する所定のアプリケーションソフトウェアの動作状態を問い合わせるための第１問合せ通信信号を前記親装置から受信した場合に、前記第２動作状態判定処理工程で前記アプリケーションソフトウェアの動作状態を判定し、前記第２動作状態判定処理工程で前記アプリケーションソフトウェアの動作を判定した場合に、前記アプリケーションソフトウェアの動作を通知するための第２動作通知通信信号を、前記親装置へ送信する第２動作通知処理工程とを備える、
被監視者監視システムにおける子装置の動作状態監視方法。
【請求項７】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムであって、
前記親装置は、請求項１ないし請求項３のいずれか１項に記載の親装置であり、
前記子装置は、請求項４に記載の子装置である、
被監視者監視システム。
【発明の詳細な説明】
【技術分野】
【０００１】
本発明は、監視対象である被監視者を監視する被監視者監視システムの親装置および該親装置の動作状態監視方法、被監視者監視システムの子装置および該子装置の動作状態監視方法、ならびに、該被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。【０００３】
このような要看護者は、病院や、老人福祉施設（日本の法令では老人短期入所施設、養護老人ホームおよび特別養護老人ホーム等）等の施設に入所し、その看護や介護を受ける。このような病院や老人福祉施設等の施設では、要看護者が快適で安心して過ごせるように、看護師や介護士等は、定期的に巡視することによってその安否を確認している。しかしながら、省力化が要請され、特に日勤の時間帯に較べ、準夜勤や夜勤の時間帯では、看護師や介護士等の人数が減るため、一人当たりの業務負荷が増大するので、前記業務負荷の軽減が要請されている。このため、近年では、要介護者等の、監視すべき監視対象である被監視者を監視（モニタ）する被監視者監視装置が研究、開発されている。【０００４】
このような被監視者監視装置は、例えば、１または複数の子装置と、前記子装置と通信可能に接続され前記子装置を管理する親装置とを備え、前記子装置および前記親装置を用いて監視対象である被監視者を監視する被監視者監視システムとして実現されている。このような被監視者監視システムでは、互いに通信可能に接続される前記子装置および前記親装置によって被監視者を監視しているため、通信に支障が生じたり、その動作に支障が生じたりすると、前記被監視者の監視に支障が生じてしまう。このため、通信状態やその動作状態を監視する必要がある。このような技術の１つとして、ネットワーク監視システムとその動作方法が例えば特許文献１に開示されている。この特許文献１では、パケットを監視するための専用の装置が設けられ、システムの状況が詳細に監視されている。【０００５】
ところで、通信ネットワークを介して通信を行う通信装置は、一般に、物理層やデータリンク層等の複数の階層を備えて構成され、アプリケーションソフトウェアは、いわゆるマルチタスクを実現しているオペレーティングシステム上で動作している。このため、例えばＰｉｎｇ（ピング）等の一般的な通信信号で通信状態や動作状態を確認しようとすると、外部の装置から受信したＰｉｎｇに対し、前記アプリケーションソフトウェアの動作状態にかかわらず、オペレーティングシステムは、返答するため、前記アプリケーションソフトウェアの動作状態を監視することが難しい。【０００６】
このため、前記特許文献１のように、専用の装置をシステムに別途に導入することによって前記アプリケーションソフトウェアの動作状態の監視が可能になる。しかしながら、専用の装置を導入することによって、コストがアップしてしまう。また、この専用の装置に支障が生じれば、前記アプリケーションソフトウェアの動作状態をやはり監視できない。
【先行技術文献】
【特許文献】
【０００７】
【特許文献１】特開２００８−４２８９２号公報
【発明の概要】
【０００８】
本発明は、上述の事情に鑑みて為された発明であり、その目的は、専用の装置を別途に導入することなく、相互に状況を監視できる被監視者監視システムの親装置および該親装置の動作状態監視方法、被監視者監視システムの子装置および該子装置の動作状態監視方法、ならびに、該被監視者監視システムを提供することである。
【０００９】
本発明にかかる被監視者監視システムは、子装置および親装置を用いて被監視者を監視する。この被監視者監視システムでは、前記親装置と前記子装置それぞれとの間で、相互に、オペレーティングシステム上で動作する所定のアプリケーションソフトウェアの動作状態を問い合わせるための問合せ通信信号を送受信し、前記所定のアプリケーションソフトウェアの動作（動作中）を判定すると、前記アプリケーションソフトウェアの動作を通知するための動作通知通信信号を送受信する。したがって、本発明にかかる被監視者監視システムの親装置および該親装置の動作状態監視方法、被監視者監視システムの子装置および該子装置の動作状態監視方法、ならびに、該被監視者監視システムは、専用の装置を別途に導入することなく、相互に状況を監視できる。
【００１０】
上記並びにその他の本発明の目的、特徴及び利点は、以下の詳細な記載と添付図面から明らかになるであろう。
【図面の簡単な説明】
【００１１】
【図１】実施形態における被監視者監視システムの構成を示す図である。
【図２】前記被監視者監視システムにおける管理サーバ装置の構成を示す図である。
【図３】前記被監視者監視システムにおける携帯端末装置の構成を示す図である。
【図４】前記監視サーバ装置における、子装置（本実施形態ではセンサ装置、固定端末装置および携帯端末装置）でのアプリケーションソフトウェアの動作状態の監視に関する動作を示すフローチャートである。
【図５】前記監視サーバ装置における、自機でのアプリケーションソフトウェアの動作状態の監視に関する動作を示すフローチャートである。
【図６】前記携帯端末装置における、親装置（本実施形態では管理サーバ装置）でのアプリケーションソフトウェアの動作状態の監視に関する動作を示すフローチャートである。
【図７】前記携帯端末装置における、自機でのアプリケーションソフトウェアの動作状態の監視に関する動作を示すフローチャートである。
【発明を実施するための形態】
【００１２】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１３】
図１は、実施形態における被監視者監視システムの構成を示す図である。図２は、実施形態の被監視者監視システムにおける管理サーバ装置の構成を示す図である。
【００１４】
本被監視者監視システムは、監視すべき（見守るべき）監視対象（見守り対象）である被監視者（見守り対象者）Ｏｂを検知して前記被監視者Ｏｂを複数の機器によって監視するものである。このような被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１５】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００１６】
センサ装置ＳＵは、ネットワークＮＷを介して他の装置ＳＶ、ＳＰ、ＴＡと通信する通信機能を備え、被監視者Ｏｂを撮像して画像を生成しこの生成した画像から被監視者Ｏｂを検知する機器である。より具体的には、センサ装置ＳＵは、例えば、ネットワークＮＷを介して他の装置ＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバ装置ＳＶへ送信する。また、センサ装置ＳＵは、所定の他の装置ＳＶ、ＳＰ、ＴＡに前記生成した画像（静止画および動画を含む）を送信する。さらに、本実施形態では、センサ装置ＳＵは、固定端末装置ＳＰや携帯端末装置ＴＡ等に対してナースコールを通知するナースコール回路、および、固定端末装置ＳＰや携帯端末装置等との間で音声通話を行う通話回路を備え、ナースコールおよび音声通話が可能となっている。図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００１７】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた検知結果や画像を表示したり等することによって、被監視者監視システムＭＳのユーザインターフェース（ＵＩ）として機能する機器である。このような固定端末装置ＳＰは、例えば、通信機能付きのコンピュータによって構成可能である。
【００１８】
管理サーバ装置ＳＶは、ネットワークＮＷを介して他の装置ＳＵ、ＳＰ、ＴＡと通信する通信機能を備え、これら他の装置ＳＵ、ＳＰ、ＴＡを管理し、そして、センサ装置ＳＵから被監視者Ｏｂに関する前記検知結果を受信して被監視者Ｏｂに対する監視に関する監視情報を管理する機器である。このような管理サーバ装置ＳＶは、例えば、図２に示すように、サーバ制御処理部（ＳＶ制御処理部）１１と、サーバ記憶部（ＳＶ記憶部）１２と、サーバ通信インターフェース部（ＳＶ通信ＩＦ部）１３とを備える。なお、管理サーバ装置ＳＶは、親装置の一例である。
【００１９】
ＳＶ通信ＩＦ部（第１通信部）１３は、ＳＶ制御処理部１１に接続され、ＳＶ制御処理部１１の制御に従って通信を行うための回路である。ＳＶ通信ＩＦ部１３は、ＳＶ制御処理部１１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部１３は、ネットワークＮＷを介して他の装置ＳＵ、ＳＰ、ＴＡから通信信号を受信し、この受信した通信信号からデータを取り出し、この取り出したデータをＳＶ制御処理部１１が処理可能な形式のデータに変換してＳＶ制御処理部１１へ出力する。
【００２０】
ＳＶ記憶部１２は、ＳＶ制御処理部１１に接続され、ＳＶ制御処理部１１の制御に従って、各種の所定のプログラムおよび各種の所定のデータを記憶する回路である。前記各種の所定のプログラムには、例えば、クライアント（本実施形態では固定端末装置ＳＰおよび携帯端末装置ＴＡ等）の要求に応じたデータを前記クライアントに提供するサーバプログラムや、被監視者Ｏｂに対する監視に関する前記監視情報を処理する監視処理プログラムや、オペレーティングシステム上で動作する所定のアプリケーションソフトウェアの動作状態を問い合わせるための第１問合せ通信信号を子装置（本実施形態ではセンサ装置ＳＵ、固定端末装置ＳＰおよび携帯端末装置ＴＡ）全てへＳＶ通信ＩＦ部１３で送信する第１問合せ処理プログラムや、自機のオペレーティングシステム上で動作する所定のアプリケーションソフトウェアの動作状態を判定する第１動作状態判定処理プログラムや、オペレーティングシステム上で動作する所定のアプリケーションソフトウェアの動作状態を問い合わせるための第２問合せ通信信号を子装置ＳＵ、ＳＰ、ＴＡからＳＶ通信ＩＦ部１３で受信した場合に、第１動作状態判定処理プログラムによって前記アプリケーションソフトウェアの動作状態を判定させ、前記第１動作状態判定処理プログラムによって前記アプリケーションソフトウェアの動作が判定された場合に、前記アプリケーションソフトウェアの動作を通知するための第１動作通知通信信号を、前記第２問合せ通信信号の送信元の子装置ＳＵ、ＳＰ、ＴＡへＳＶ通信ＩＦ部１３で送信する第１動作通知処理プログラム等の制御処理プログラムが含まれる。前記サーバプログラムや前記監視処理プログラムは、オペレーティングシステム上で動作する所定のアプリケーションソフトウェアの一例である。なお、前記第２問合せ通信信号を送信する子装置は、外部に情報を出力するユーザインターフェースを持つ子装置（本実施形態では、固定端末装置ＳＰおよび携帯端末装置ＴＡ、以下、これらは「固定端末ＳＰ、ＴＡ」と適宜に呼称される）であることが好ましい。前記各種の所定のデータには、子装置ＳＵ、ＳＰ、ＴＡの通信アドレス（例えばＩＰアドレス等）、被監視者Ｏｂに対する監視に関する前記監視情報等の、前記所定のプログラムを実行する上で必要な各データが含まれる。ＳＶ記憶部１２は、例えばＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＶ記憶部１２は、前記所定のプログラムの実行中に生じるデータ等を記憶するいわゆるＳＶ制御処理部１１のワーキングメモリとなるＲＡＭ（Ｒａｎｄｏｍ  Ａｃｃｅｓｓ  Ｍｅｍｏｒｙ）等を含む。
【００２１】
ＳＶ制御処理部１１は、管理サーバ装置ＳＶの各部を当該各部の機能に応じてそれぞれ制御し、センサ装置ＳＵから被監視者Ｏｂに関する前記検知結果を受信して被監視者Ｏｂの前記監視情報を管理する回路である。ＳＶ制御処理部１１は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部１１には、制御処理プログラムが実行されることによって、サーバ制御部（ＳＶ制御部）１１１、サーバ監視処理部（ＳＶ監視処理部）１１２、サーバ問合せ処理部（ＳＶ問合せ処理部）１１３、サーバ動作状態判定処理部（ＳＶ動作状態判定処理部）１１４およびサーバ動作通知処理部（ＳＶ動作通知処理部）１１５を機能的に備える。
【００２２】
ＳＶ制御部１１１は、管理サーバ装置ＳＶの各部を当該各部の機能に応じてそれぞれ制御し、管理サーバ装置ＳＶの全体制御を司るものである。
【００２３】
ＳＶ監視処理部１１２は、前記監視情報を管理するものである。より具体的には、例えば、本実施形態では、ＳＶ監視処理部１１２は、センサ装置ＳＵから、前記監視情報を収容した監視情報通信信号をＳＶ通信ＩＦ部１３で受信すると、この受信した監視情報通信信号に収容されている前記監視情報をＳＶ記憶部１２に記憶し、前記監視情報通信信号を端末装置ＳＰ、ＴＡにＳＶ通信ＩＦ部１３で送信する。
【００２４】
ＳＶ問合せ処理部（第１問合せ処理部）１１３は、オペレーティングシステム上で動作する所定のアプリケーションソフトウェアの動作状態を問い合わせるための第１問合せ通信信号を子装置ＳＵ、ＳＰ、ＴＡへ、例えば子装置ＳＵ、ＳＰ、ＴＡ全てへＳＶ通信ＩＦ部１３で送信するものである。本実施形態では、ＳＶ問合せ処理部１１３は、さらに、前記第１問合せ通信信号に対する返信の無い子装置ＳＵ、ＳＰ、ＴＡがあった場合に、前記第１問合せ通信信号に対する返信の無い子装置ＳＵ、ＳＰ、ＴＡがあった旨を出力させるための不応答出力指令通信信号を、外部に情報を出力するユーザインターフェースを持つ子装置（本実施形態では端末装置ＳＰ、ＴＡ）へ送信する。なお、管理サーバ装置ＳＶは、外部に情報を出力するユーザインターフェースをさらに備え、第１問合せ処理部１１３は、前記第１問合せ通信信号に対する返信の無い子装置ＳＵ、ＳＰ、ＴＡがあった場合に、前記第１問合せ通信信号に対する返信の無い子装置ＳＵ、ＳＰ、ＴＡがあった旨を前記ユーザインターフェースで出力してもよい。この場合、好ましくは、管理サーバ装置ＳＶは、前記ユーザインターフェースの１つとして、情報を表示する例えばＣＲＴ表示機や液晶表示機等の表示装置を備え、この表示装置に第１問合せ処理部１１３によって、前記第１問合せ通信信号に対する返信の無い子装置ＳＵ、ＳＰ、ＴＡがあった旨を表示する。
【００２５】
ＳＶ動作状態判定処理部（第１動作状態判定処理部）１１４は、自機のオペレーティングシステム上で動作する所定のアプリケーションソフトウェアの動作状態を判定するものである。より具体的には、ＳＶ動作状態判定処理部１１４は、予め決められたテスト用のデータを前記所定のアプリケーションソフトウェアへ通知し、前記テスト用のデータに対する正解のデータが前記所定のアプリケーションソフトウェアから得られたか否かによって、前記所定のアプリケーションソフトウェアが正常に動作しているか否かを判定する。判定の結果、正解のデータが得られた場合には、ＳＶ動作状態判定処理部１１４は、前記所定のアプリケーションソフトウェアが正常に動作していると判定、すなわち、動作中と判定する。一方、前記判定の結果、正解のデータが得られない場合には、ＳＶ動作状態判定処理部１１４は、前記所定のアプリケーションソフトウェアが動作していないと判定、すなわち、非動作と判定する。
【００２６】
ＳＶ動作通知処理部（第１動作通知処理部）１１５は、オペレーティングシステム上で動作する所定のアプリケーションソフトウェアの動作状態を問い合わせるための第２問合せ通信信号を子装置（本実施形態ではセンサ装置ＳＵ、固定端末装置ＳＰおよび携帯端末装置ＴＡ）からＳＶ通信ＩＦ部１３で受信した場合に、ＳＶ動作状態判定処理部１１４に前記アプリケーションソフトウェアの動作状態を判定させ、ＳＶ動作状態判定処理部１１４が前記アプリケーションソフトウェアの動作を判定した場合に、前記アプリケーションソフトウェアの動作を通知するための第１動作通知通信信号を、前記第２問合せ通信信号の送信元の前記子装置へＳＶ通信ＩＦ部１３で送信する。
【００２７】
このような管理サーバ装置ＳＶは、例えば、通信機能付きのコンピュータによって構成可能である。
【００２８】
図１に戻って、携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記検知結果や画像を表示したり等することによって、被監視者Ｏｂに対する監視に関する前記監視情報を受け付けて表示する機器である。
【００２９】
このような携帯端末装置ＴＡは、本実施形態では、例えば、図３に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００３０】
ＴＡ音入出力部４４は、ＴＡ制御処理部４１に接続され、外部の音を取得して携帯端末装置ＴＡに入力するための回路であって、ＴＡ制御処理部４１の制御に従って音を表す電気信号に応じた音を生成して出力するための回路である。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４１へ出力し、また、ＴＡ制御処理部４１から入力された電気信号を音の音響振動に変換して出力する。
【００３１】
ＴＡ入力部４５は、ＴＡ制御処理部４１に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤ（識別子）の入力操作や、前記検知結果および静止画を通報された被監視者Ｏｂをセンシングするセンサ装置ＳＵによって撮像される動画を表示させる指示の入力操作や、前記検知結果および前記静止画を通報された被監視者Ｏｂに対する例えば看護、介護および介助等の所定の対応を行う意思表明の入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示する回路であり、例えば液晶表示機（ＬＣＤ）および有機ＥＬディスプレイ等の表示装置である。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力回路である。このタッチパネルでは、ＴＡ表示部４６の表示面上に位置入力回路が設けられ、ＴＡ表示部４６に入力可能な１または複数の入力内容の候補が表示され、例えば看護師や介護士等のユーザ（監視者）が、入力したい入力内容を表示した表示位置を触れると、位置入力回路によってその位置が検出され、検出された位置に表示された表示内容がユーザの操作入力内容として携帯端末装置ＴＡに入力される。
【００３２】
ＴＡＩＦ部４７は、ＴＡ制御処理部４１に接続され、ＴＡ制御処理部４１の制御に従って、外部機器との間でデータの入出力を行う回路であり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００３３】
ＴＡ通信ＩＦ部（第２通信部）４３は、ＳＶ通信ＩＦ部１３と同様に、ＴＡ制御処理部４１に接続され、ＴＡ制御処理部４１の制御に従って通信を行うための回路である。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＶ、ＳＰへ送信する。ＴＡ通信ＩＦ部４３は、ネットワークＮＷを介して他の装置ＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００３４】
ＴＡ記憶部４２は、ＳＶ記憶部１２と同様に、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂに対する監視に関する前記監視情報を処理する監視処理プログラムや、オペレーティングシステム上で動作する所定のアプリケーションソフトウェアの動作状態を問い合わせるための第２問合せ通信信号を管理サーバ装置ＳＰ（親装置の一例）へＴＡ通信ＩＦ部４３で送信する第２問合せ処理プログラムや、自機のオペレーティングシステム上で動作する所定のアプリケーションソフトウェアの動作状態を判定する第２動作状態判定処理プログラムや、オペレーティングシステム上で動作する所定のアプリケーションソフトウェアの動作状態を問い合わせるための前記第１問合せ通信信号を管理サーバ装置ＳＶからＴＡ通信ＩＦ部４３で受信した場合に、前記第２動作状態判定処理プログラムで前記アプリケーションソフトウェアの動作状態を判定し、前記第２動作状態判定処理プログラムで前記アプリケーションソフトウェアの動作を判定した場合に、前記アプリケーションソフトウェアの動作を通知するための第２動作通知通信信号を、管理サーバ装置ＳＶへＴＡ通信ＩＦ部４３で送信する第２動作通知処理プログラム等の制御処理プログラムが含まれる。前記監視処理プログラムは、オペレーティングシステム上で動作する所定のアプリケーションソフトウェアの一例である。前記各種の所定のデータでは、管理サーバ装置ＳＶの通信アドレス（例えばＩＰアドレス等）や被監視者Ｏｂに対する監視に関する前記監視情報等の、前記所定のプログラムを実行する上で必要な各データが含まれる。ＴＡ記憶部４２は、例えばＲＯＭやＥＥＰＲＯＭ等を備える。ＴＡ記憶部４２は、前記所定のプログラムの実行中に生じるデータ等を記憶するいわゆるＴＡ制御処理部４１のワーキングメモリとなるＲＡＭ等を含む。
【００３５】
ＴＡ制御処理部４１は、携帯端末装置ＴＡの各部を当該各部の機能に応じてそれぞれ制御し、被監視者Ｏｂに対する監視に関する監視情報を処理するための回路である。ＴＡ制御処理部４１は、ＳＶ制御処理部１１と同様に、例えば、ＣＰＵおよびその周辺回路を備えて構成される。ＴＡ制御処理部４１は、制御処理プログラムが実行されることによって、端末制御部（ＴＡ制御部）４１１、端末監視処理部（ＴＡ監視処理部）４１２、端末問合せ処理部（ＴＡ問合せ処理部）４１３、端末動作状態判定処理部（ＴＡ動作状態判定処理部）４１４および端末動作通知処理部（ＴＡ動作通知処理部）４１５を機能的に備える。
【００３６】
ＴＡ制御部４１１は、携帯端末装置ＴＡの各部を当該各部の機能に応じてそれぞれ制御し、携帯端末装置ＴＡの全体制御を司るものである。
【００３７】
ＴＡ監視処理部４１２は、被監視者Ｏｂに対する監視に関する前記監視情報を処理するものである。より具体的には、ＴＡ監視処理部４１２は、前記監視情報通信信号をＴＡ通信ＩＦ部４３で受信した場合に、この受信した監視情報通信信号に収容された被監視者Ｏｂの前記監視情報をＴＡ記憶部４２に記憶する。ＴＡ監視処理部４１２は、前記監視情報の表示に関する動作を処理し、例えば、前記監視情報通信信号をＴＡ通信ＩＦ部４３で受信した場合に、この受信した監視情報通信信号に収容された被監視者Ｏｂの前記監視情報を表示する監視情報画面をＴＡ表示部４６に表示する。
【００３８】
ＴＡ問合せ処理部（第２問合せ処理部）４１３は、オペレーティングシステム上で動作する所定のアプリケーションソフトウェアの動作状態を問い合わせるための第２問合せ通信信号を管理サーバ装置ＳＶ（親装置の一例）へＴＡ通信ＩＦ部４３で送信するものである。本実施形態では、ＴＡ問合せ処理部４１３は、さらに、管理サーバ装置ＳＶから前記第２問合せ通信信号に対する返信が無い場合に、管理サーバ装置ＳＶから前記第２問合せ通信信号に対する返信が無い旨をユーザインターフェースで出力する。より具体的には、ＴＡ問合せ処理部４１３は、さらに、管理サーバ装置ＳＶから前記第２問合せ通信信号に対する返信が無い場合に、管理サーバ装置ＳＶから前記第２問合せ通信信号に対する返信が無い旨をＴＡ表示部４６に表示する。
【００３９】
ＴＡ動作状態判定処理部（第２動作状態判定処理部）４１４は、ＳＶ動作状態判定処理部１１４と同様に、自機のオペレーティングシステム上で動作する所定のアプリケーションソフトウェアの動作状態を判定するものである。
【００４０】
ＴＡ動作通知処理部（第２動作通知処理部）４１５は、オペレーティングシステム上で動作する所定のアプリケーションソフトウェアの動作状態を問い合わせるための前記第１問合せ通信信号を管理サーバ装置ＳＶからＴＡ通信ＩＦ部４３で受信した場合に、ＴＡ動作状態判定処理部４１４に前記アプリケーションソフトウェアの動作状態を判定させ、ＴＡ動作状態判定処理部４１４が前記アプリケーションソフトウェアの動作を判定した場合に、前記アプリケーションソフトウェアの動作を通知するための第２動作通知通信信号を、管理サーバ装置ＳＶへＴＡ通信ＩＦ部４３で送信する。
【００４１】
このような携帯端末装置ＴＡは、例えば、いわゆるタブレット型コンピュータやスマートフォンや携帯電話機等の、持ち運び可能な通信端末装置によって構成可能である。なお、携帯端末装置ＴＡは、子装置の他の一例である。
【００４２】
そして、本実施形態では、上述のセンサ装置ＵＳは、子装置の一例であり、これら上述のＴＡ動作状態判定処理部４１４およびＴＡ動作通知処理部４１５の各機能と同様の各機能をさらに持つ。より具体的には、センサ装置ＳＵは、自機のオペレーティングシステム上で動作する所定のアプリケーションソフトウェアの動作状態を判定し、オペレーティングシステム上で動作する所定のアプリケーションソフトウェアの動作状態を問い合わせるための前記第１問合せ通信信号を管理サーバ装置ＳＶから受信した場合に、前記アプリケーションソフトウェアの動作状態を判定させ、前記アプリケーションソフトウェアの動作を判定した場合に、前記アプリケーションソフトウェアの動作を通知するための第２動作通知通信信号を、管理サーバ装置ＳＶへ送信する。前記体動センサの出力および前記画像センサの出力に基づいて被監視者Ｏｂの検知結果として被監視者Ｏｂの状態（状況）を判定するためのデータ処理プログラムや前記ナースコールを通知するためのナースコールプログラムや音声通話を行うための音声通話プログラムは、オペレーティングシステム上で動作する所定のアプリケーションソフトウェアの一例である。なお、センサ装置ＳＵは、上述のＴＡ問合せ処理部４１３の機能もさらに持っても良い。より具体的には、センサ装置ＳＵは、オペレーティングシステム上で動作する所定のアプリケーションソフトウェアの動作状態を問い合わせるための第２問合せ通信信号を管理サーバ装置ＳＶ（親装置の一例）へ送信する。この場合、センサ装置ＳＵは、表示装置等のユーザインターフェースを持たないので、センサ装置ＳＵは、管理サーバ装置ＳＶから前記第２問合せ通信信号に対する返信が無い場合に、管理サーバ装置ＳＶから前記第２問合せ通信信号に対する返信が無い旨を出力させるための第２不応答出力指令通信信号を、ユーザインターフェースを持つ端末装置ＳＰ、ＴＡへ送信する。
【００４３】
さらに、本実施形態では、上述の固定端末装置ＳＰは、子装置の一例であり、これら上述のＴＡ問合せ処理部４１３、ＴＡ動作状態判定処理部４１４およびＴＡ動作通知処理部４１５の各機能と同様の各機能をさらに持つ。より具体的には、固定端末装置ＳＰは、オペレーティングシステム上で動作する所定のアプリケーションソフトウェアの動作状態を問い合わせるための第２問合せ通信信号を管理サーバ装置ＳＶ（親装置の一例）へ送信し、管理サーバ装置ＳＶから前記第２問合せ通信信号に対する返信が無い場合に、管理サーバ装置ＳＶから前記第２問合せ通信信号に対する返信が無い旨をユーザインターフェースで出力する。固定端末装置ＳＰは、前記ユーザインターフェースの１つとして、情報を表示する表示装置を備え、管理サーバ装置ＳＶから前記第２問合せ通信信号に対する返信が無い場合に、管理サーバ装置ＳＶから前記第２問合せ通信信号に対する返信が無い旨をこの表示装置に表示する。そして、固定端末装置ＳＰは、自機のオペレーティングシステム上で動作する所定のアプリケーションソフトウェアの動作状態を判定し、オペレーティングシステム上で動作する所定のアプリケーションソフトウェアの動作状態を問い合わせるための前記第１問合せ通信信号を管理サーバ装置ＳＶから受信した場合に、前記アプリケーションソフトウェアの動作状態を判定させ、前記アプリケーションソフトウェアの動作を判定した場合に、前記アプリケーションソフトウェアの動作を通知するための第２動作通知通信信号を、管理サーバ装置ＳＶへ送信する。
【００４４】
次に、本実施形態の動作について説明する。このような構成の被監視者監視システムＭＳでは、各装置ＳＵ、ＳＶ、ＳＰ、ＴＡは、電源が投入されると、必要な各部の初期化を実行し、その稼働を始める。また、管理サーバ装置ＳＶでは、その制御処理プログラムの実行によって、ＳＶ制御処理部１１には、ＳＶ制御部１１１、ＳＶ監視処理部１１２、ＳＶ問合せ処理部１１３、ＳＶ動作状態判定処理部１１４およびＳＶ動作通知処理部１１５が機能的に構成され、携帯端末装置ＴＡでは、その制御処理プログラムの実行によって、ＴＡ制御処理部４１には、ＴＡ制御部４１１、ＴＡ監視処理部４１２、ＴＡ問合せ処理部４１３、ＴＡ動作状態判定処理部４１４およびＴＡ動作通知処理部４１５が機能的に構成される。
【００４５】
そして、上記構成の被監視者監視システムＭＳは、大略、次の動作によって、各被監視者Ｏｂそれぞれを監視している。センサ装置ＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、本実施形態では、起床、離床、転倒転落および微体動異常等）であると判定すると、被監視者Ｏｂの状態として判定された判定結果を表す判定結果情報や被監視者Ｏｂの静止画の画像データ等の監視情報を収容した通信信号（監視情報通信信号）をネットワークＮＷを介して管理サーバ装置ＳＶへ送信する。センサ装置ＳＵは、公知技術によって被監視者Ｏｂの状態（状況）を判定できる。例えば、センサ装置ＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、センサ装置ＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。
【００４６】
管理サーバ装置ＳＶは、前記監視情報通信信号をネットワークＮＷを介してセンサ装置ＳＵから受信すると、ＳＶ監視処理部１１２によって、この監視情報通信信号に収容された判定結果情報や静止画の画像データ等の監視情報をＳＶ記憶部１２に記憶（記録）する。そして、管理サーバ装置ＳＶは、これら判定結果情報や静止画の画像データ等の監視情報を収容した監視情報通信信号を端末装置ＳＰ、ＴＡへ送信する。これによって被監視者Ｏｂの状態（状況）が端末装置ＳＰ、ＴＡを介して例えば看護師や介護士等の監視者に報知される。
【００４７】
固定端末装置ＳＰおよび携帯端末装置ＴＡは、前記監視情報通信信号をネットワークＮＷを介して管理サーバ装置ＳＶから受信すると、この監視情報通信信号に収容された前記監視情報を表示する。このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂを検知して各被監視者Ｏｂを監視している。
【００４８】
次に、被監視者監視システムＭＳにおける、アプリケーションソフトウェアの動作状態の監視に関する動作について、説明する。図４は、前記監視サーバ装置における、子装置（本実施形態ではセンサ装置、固定端末装置および携帯端末装置）でのアプリケーションソフトウェアの動作状態の監視に関する動作を示すフローチャートである。図５は、前記監視サーバ装置における、自機でのアプリケーションソフトウェアの動作状態の監視に関する動作を示すフローチャートである。図６は、前記携帯端末装置における、親装置（本実施形態では管理サーバ装置）でのアプリケーションソフトウェアの動作状態の監視に関する動作を示すフローチャートである。図７は、前記携帯端末装置における、自機でのアプリケーションソフトウェアの動作状態の監視に関する動作を示すフローチャートである。以下の説明では、子装置の動作は、携帯端末装置ＴＡの動作で説明されるが、センサ装置ＳＵおよび固定端末装置ＳＰの動作も同様に説明できる。
【００４９】
まず、管理サーバ装置ＳＶがセンサ装置ＳＵ、固定端末装置ＳＰおよび携帯端末装置ＴＡそれぞれの各アプリケーションソフトウェアの各動作状態を監視する動作について説明する。
【００５０】
図４において、ＳＶ制御処理部１１のＳＶ問合せ処理部１１３は、オペレーティングシステム上で動作する所定のアプリケーションソフトウェア（例えば被監視者Ｏｂを監視するためのプログラム等）の動作状態を問い合わせるための第１問合せ通信信号をセンサ装置ＳＵ、固定端末装置ＳＰおよび携帯端末装置ＴＡ全てへＳＶ通信ＩＦ部１３で送信する（Ｓ１１）。前記第１問合せ通信信号には、前記所定のアプリケーションソフトウェアの動作状態（動作中か非動作中か）を調べる指令（コマンド）や、前記所定のアプリケーションソフトウェアを特定し識別するための識別子情報（ＡＰ−ＩＤ、例えばＴＣＰ（Ｔｒａｎｓｍｉｓｓｉｏｎ  Ｃｏｎｔｒｏｌ  Ｐｒｏｔｏｃｏｌ）のポート番号等）が収容される。
【００５１】
次に、ＳＶ問合せ処理部１１３は、センサ装置ＳＵ、固定端末装置ＳＰおよび携帯端末装置ＴＡ全てから応答があったか否かを判定する（Ｓ１２）。すなわち、ＳＶ問合せ処理部１１３は、センサ装置ＳＵ、固定端末装置ＳＰおよび携帯端末装置ＴＡ全てから前記アプリケーションソフトウェアの動作を通知するための第２動作通知通信信号をそれぞれ受信したか否かを判定する。前記第２動作通知通信信号には、当該第２動作通知通信信号を送信した送信元の子装置（本実施形態ではセンサ装置ＳＵ、固定端末装置ＳＰおよび携帯端末装置）を特定し識別するための識別子情報（子−ＩＤ）や、ＡＰ−ＩＤや、前記ＡＰ−ＩＤで特定されるアプリケーションソフトウェアが動作中であることを表すフラグ等が収容される。
【００５２】
この処理Ｓ１２の判定の結果、センサ装置ＳＵ、固定端末装置ＳＰおよび携帯端末装置ＴＡ全てから各第２動作通知通信信号を受信した場合（Ｙｅｓ）には、ＳＶ問合せ処理部１１３は、所定の時間の間、待機するウエイト（Ｗａｉｔ）の処理を実行し（Ｓ１３）、処理を処理Ｓ１１に戻す。したがって、この場合では、前記所定の時間の間隔で、処理Ｓ１１、処理Ｓ１２および処理Ｓ１３が繰り返される。
【００５３】
一方、前記処理Ｓ１２の判定の結果、センサ装置ＳＵ、固定端末装置ＳＰおよび携帯端末装置ＴＡ全てから各第２動作通知通信信号を受信していない場合（Ｎｏ）には、ＳＶ問合せ処理部１１３は、応答の無い装置が何であるかを判定する（Ｓ１４）。
【００５４】
この処理Ｓ１４の判定の結果、応答の無い装置、すなわち、第２動作通知通信信号の返信が無かった装置が固定端末装置ＳＰである場合（固定端末）には、ＳＶ問合せ処理部１１３は、処理Ｓ１５を実行し、前記応答の装置が携帯端末装置ＴＡである場合（携帯端末）には、ＳＶ問合せ処理部１１３は、処理Ｓ１６を実行し、そして、前記応答の装置がセンサ装置ＳＵである場合（センサ装置）には、ＳＶ問合せ処理部１１３は、処理Ｓ１７を実行する。
【００５５】
処理Ｓ１５では、ＳＶ問合せ処理部１１３は、固定端末装置ＳＰの応答が無い旨を携帯端末装置ＴＡに表示させるための第１不応答表示指令通信信号を携帯端末装置ＴＡへＳＶ通信ＩＦ部１３で送信し、処理Ｓ１３を介して処理Ｓ１１に戻す。前記第１不応答表示指令通信信号には、応答の無い固定端末装置ＳＰの子−ＩＤや、固定端末装置ＳＰから応答が無い旨を表示させる指令（コマンド）等が収容される。第１不応答表示指令通信信号は、全ての携帯端末装置ＴＡへ送信されて良く、また、予め設定された１または複数の特定の携帯端末装置ＴＡへ送信されて良い。携帯端末装置ＴＡは、この第１不応答表示指令通信信号を受信すると、ＴＡ制御処理部４１は、ＴＡ表示部４６に、固定端末装置ＳＰの応答が無い旨を表示する。例えば、ＴＡ制御処理部４１は、ＴＡ表示部４６に、「固定端末装置ＳＰの応答が無い、または、ネットワークＮＷが異常である」とのメッセージを表示する。
【００５６】
処理Ｓ１６では、ＳＶ問合せ処理部１１３は、携帯端末装置ＴＡの応答が無い旨を固定端末装置ＳＰに表示させるための第２不応答表示指令通信信号を固定端末装置ＳＰへＳＶ通信ＩＦ部１３で送信し、処理Ｓ１３を介して処理Ｓ１１に戻す。また、第２不応答表示指令通信信号は、固定端末装置ＳＰへの送信に代え、あるいは、固定端末装置ＳＰへの送信に加えて、固定端末応答のあった携帯端末装置ＴＡへ送信されて良い。前記第２不応答表示指令通信信号には、応答の無い携帯端末装置ＴＡの子−ＩＤや、携帯端末装置ＴＡから応答が無い旨を表示させる指令（コマンド）等が収容される。固定端末装置ＳＰは、この第２不応答表示指令通信信号を受信すると、携帯端末装置ＴＡの応答が無い旨を出力する。例えば、固定端末装置ＳＰは、表示装置を備え、この表示装置に、「携帯端末装置ＴＡの応答が無い、または、ネットワークＮＷが異常である」とのメッセージを表示する。なお、応答の無い携帯端末装置ＴＡを特定する情報が表示されても良い。
【００５７】
処理Ｓ１７では、ＳＶ問合せ処理部１１３は、センサ装置ＳＵの応答が無い旨を端末装置ＳＰ、ＴＡに表示させるための第３不応答表示指令通信信号を端末装置ＳＰ、ＴＡへＳＶ通信ＩＦ部１３で送信し、処理Ｓ１３を介して処理Ｓ１１に戻す。前記第３不応答表示指令通信信号には、応答の無いセンサ装置ＳＵの子−ＩＤや、センサ装置ＳＵから応答が無い旨を表示させる指令（コマンド）等が収容される。第３不応答表示指令通信信号は、全ての端末装置ＳＰ、ＴＡへ送信されて良く、また、予め設定された１または複数の特定の端末装置ＳＰ、ＴＡへ送信されて良い（すなわち、第３不応答表示指令通信信号は、固定端末装置ＳＰのみに送信されて良く、また、予め設定された１または複数の特定の携帯端末装置ＴＡへ送信されて良く、また、固定端末装置ＳＰおよび予め設定された１または複数の特定の携帯端末装置ＴＡへ送信されて良い）。端末装置ＳＰ、ＴＡは、この第３不応答表示指令通信信号を受信すると、センサ装置ＳＵの応答が無い旨を出力する。例えば、携帯端末装置ＴＡは、ＴＡ表示部４６に、「センサ装置ＴＡの応答が無い、または、ネットワークＮＷが異常である」とのメッセージを表示する。なお、応答の無いセンサ装置ＳＵを特定する情報が表示されても良い。
【００５８】
次に、上述の処理Ｓ１１で管理サーバ装置ＳＶが送信した前記第１問合せ通信信号を受信した携帯端末装置ＴＡの動作について説明する。なお、管理サーバ装置ＳＶから前記第１問合せ通信信号を受信した固定端末装置ＳＰおよびセンサ装置ＳＵも以下と同様に動作する。
【００５９】
図７において、携帯端末装置ＴＡのＴＡ制御処理部４１におけるＴＡ動作通知処理部４１５は、管理サーバ装置ＳＶから前記第１問合せ通信信号を受信すると（Ｓ４１）、ＴＡ動作状態判定処理部４１４によって、自機のオペレーティングシステム上で動作する、前記第１問合せ通信信号で指定された所定のアプリケーションソフトウェアの動作状態を判定する（Ｓ４２）。
【００６０】
この判定の結果、前記所定のアプリケーションソフトウェアが動作していない場合（Ｎｏ（非動作中））には、ＴＡ動作通知処理部４１５は、処理を終了する。一方、前記判定の結果、前記所定のアプリケーションソフトウェアが動作している場合（Ｙｅｓ（動作中））には、ＴＡ動作通知処理部４１５は、前記アプリケーションソフトウェアの動作を通知するための第２動作通知通信信号を、管理サーバ装置ＳＶへＴＡ通信ＩＦ部４３で送信し、処理を終了する。すなわち、前記第２動作通知通信信号の送信によって、上述の処理Ｓ１１で管理サーバ装置ＳＶが送信した前記第１問合せ通信信号に対し、前記所定のアプリケーションソフトウェアが動作している場合のみ、その応答が返信される。
【００６１】
このように動作することによって、管理サーバ装置ＳＶは、全てのセンサ装置ＳＵ、固定端末装置ＳＰおよび携帯端末装置ＴＡにおける所定のアプリケーションソフトウェアの死活を監視する。
【００６２】
次に、携帯端末装置ＴＡが管理サーバ装置ＳＶのアプリケーションソフトウェアの動作状態を監視する動作について説明する。
【００６３】
図６において、ＴＡ制御処理部４１のＴＡ問合せ処理部４１３は、オペレーティングシステム上で動作する所定のアプリケーションソフトウェア（例えば被監視者Ｏｂを監視するためのプログラム等）の動作状態を問い合わせるための第２問合せ通信信号を管理サーバ装置ＳＶ（親装置の一例）へＴＡ通信ＩＦ部４３で送信する（Ｓ３１）。前記第２問合せ通信信号には、前記所定のアプリケーションソフトウェアの動作状態（動作中か非動作中か）を調べる指令（コマンド）や、前記所定のアプリケーションソフトウェアを特定し識別するための識別子情報（ＡＰ−ＩＤ、例えばＴＣＰのポート番号等）が収容される。
【００６４】
次に、ＴＡ問合せ処理部４１３は、管理サーバ装置ＳＶ（親装置の一例）から応答があったか否かを判定する（Ｓ３２）。すなわち、ＴＡ問合せ処理部４１３は、管理サーバ装置ＳＶから前記アプリケーションソフトウェアの動作を通知するための第１動作通知通信信号を受信したか否かを判定する。前記第１動作通知通信信号には、当該第１動作通知通信信号を送信した送信元の親装置（本実施形態では管理サーバ装置ＳＶ）を特定し識別するための識別子情報（親−ＩＤ）や、ＡＰ−ＩＤや、前記ＡＰ−ＩＤで特定されるアプリケーションソフトウェアが動作中であることを表すフラグ等が収容される。
【００６５】
この処理Ｓ３２の判定の結果、管理サーバ装置ＳＶから前記第１動作通知通信信号を受信した場合（Ｙｅｓ）には、ＴＡ問合せ処理部４１３は、所定の時間の間、待機するウエイト（Ｗａｉｔ）の処理を実行し（Ｓ３３）、処理を処理Ｓ３１に戻す。したがって、この場合では、前記所定の時間の間隔で、処理Ｓ３１、処理Ｓ３２および処理Ｓ３３が繰り返される。
【００６６】
一方、前記処理Ｓ３２の判定の結果、管理サーバ装置ＳＶから前記第１動作通知通信信号を受信していない場合（Ｎｏ）には、ＴＡ問合せ処理部４１３は、管理サーバ装置ＳＶの応答が無い旨をＴＡ表示部４６に表示し、処理Ｓ３３を介して処理Ｓ３１に戻す。ＴＡ問合せ処理部４１３は、ＴＡ表示部４６に、例えば、「管理サーバ装置ＳＶの応答が無い、または、ネットワークＮＷが異常である」とのメッセージを表示する。
【００６７】
次に、上述の処理Ｓ３１で携帯端末装置ＴＡが送信した前記第２問合せ通信信号を受信した管理サーバ装置ＳＶの動作について説明する。
【００６８】
図５において、管理サーバ装置ＳＶのＳＶ制御処理部１１におけるＳＶ動作通知処理部１１５は、携帯端末装置ＴＡから前記第２問合せ通信信号を受信すると（Ｓ２１）、ＳＶ動作状態判定処理部１１４によって、自機のオペレーティングシステム上で動作する、前記第２問合せ通信信号で指定された所定のアプリケーションソフトウェアの動作状態を判定する（Ｓ２２）。
【００６９】
この判定の結果、前記所定のアプリケーションソフトウェアが動作していない場合（Ｎｏ（非動作中））には、ＳＶ動作通知処理部１１５は、処理を終了する。一方、前記判定の結果、前記所定のアプリケーションソフトウェアが動作している場合（Ｙｅｓ（動作中））には、ＳＶ動作通知処理部１１５は、前記アプリケーションソフトウェアの動作を通知するための第１動作通知通信信号を、携帯端末装置ＴＡへＳＶ通信ＩＦ部１３で送信し、処理を終了する。すなわち、前記第１動作通知通信信号の送信によって、上述の処理Ｓ３１で携帯端末装置ＴＡが送信した前記第２問合せ通信信号に対し、前記所定のアプリケーションソフトウェアが動作している場合のみ、その応答が返信される。前記第１動作通知通信信号には、当該第１動作通知通信信号を送信した送信元の親−ＩＤや、ＡＰ−ＩＤや、前記ＡＰ−ＩＤで特定されるアプリケーションソフトウェアが動作中であることを表すフラグ等が収容される。
【００７０】
このように動作することによって、携帯端末装置ＴＡは、管理サーバ装置ＳＶにおける所定のアプリケーションソフトウェアの死活を監視する。センサ装置ＳＵおよび固定端末装置ＳＰも同様に管理サーバ装置ＳＶにおける所定のアプリケーションソフトウェアの死活を監視する。
【００７１】
以上説明したように、本実施形態における被監視者監視システムＭＳの管理サーバ装置（親装置の一例）およびその動作状態監視方法は、前記第１問合せ通信信号をセンサ装置ＳＵ、固定端末装置ＳＰおよび携帯端末装置ＴＡ（子装置の一例）へ送信することでセンサ装置ＳＵ、固定端末装置ＳＰおよび携帯端末装置ＴＡにおけるアプリケーションソフトウェアの動作状態を監視し、そして、センサ装置ＳＵ、固定端末装置ＳＰおよび携帯端末装置ＴＡそれぞれから前記第２問合せ通信信号を受信した場合に自機のアプリケーションソフトウェアの動作状態を判定してその動作が判定された場合に前記第１動作通知通信信号を前記第２問合せ通信信号の送信元へ送信する。したがって、上記監視サーバ装置ＳＶおよびその動作状態監視方法は、専用の装置を別途に導入することなく、管理サーバ装置ＳＶとセンサ装置ＳＵ、固定端末装置ＳＰおよび携帯端末装置ＴＡそれぞれとの間で相互に状況を監視できる。
【００７２】
上記監視サーバ装置ＳＶおよびその動作状態監視方法は、第１ないし第３不応答表示指令通信信号（不応答出力指令通信信号の一例）を、ユーザインターフェースを持つ端末装置ＳＰ、ＴＡへ送信するので、前記ユーザインターフェースを持たなくても、前記第１問合せ通信信号に対する返信の無い装置があった旨を出力させ、その旨をユーザに報知できる。そして、前記ユーザインターフェースが表示装置であれば、上記監視サーバ装置ＳＶおよびその動作状態監視方法は、その旨をユーザに視覚によって簡易に認識させ得る。
【００７３】
本実施形態における被監視者監視システムＭＳのセンサ装置ＳＵ、固定端末装置ＳＰおよび携帯端末装置ＴＡ（子装置の一例）およびその動作状態監視方法は、前記第２問合せ通信信号を管理サーバ装置ＳＶ（親装置の一例）へ送信することで管理サーバ装置ＳＶにおけるアプリケーションソフトウェアの動作状態を監視し、そして、管理サーバ装置ＳＶから第１問合せ通信信号を受信した場合に自機のアプリケーションソフトウェアの動作状態を判定してその動作が判定された場合に前記第２動作通知通信信号を管理サーバ装置ＳＶへ送信する。したがって、上記センサ装置ＳＵ、固定端末装置ＳＰおよび携帯端末装置ＴＡおよびその動作状態監視方法は、専用の装置を別途に導入することなく、管理サーバ装置ＳＶとセンサ装置ＳＵ、固定端末装置ＳＰおよび携帯端末装置ＴＡそれぞれとの間で相互に状況を監視できる。
【００７４】
したがって、本実施形態における被監視者監視システムＭＳは、専用の装置を別途に導入することなく、相互に状況を監視できる。
【００７５】
なお、上述の実施形態では、図５および図７それぞれを用いて説明したように、第２および第１問合せ通信信号それぞれに対し、アプリケーションソフトウェアが非動作中である場合に、前記アプリケーションソフトウェアが非動作中である旨は、その不応答で返答されたが、前記アプリケーションソフトウェアが非動作中である旨を収容した通信信号（非動作通知通信信号）の返信で返答されても良い。
【００７６】
本明細書は、上記のように様々な態様の技術を開示しているが、そのうち主な技術を以下に纏める。
【００７７】
一態様にかかる被監視者監視システムの親装置は、外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置であって、通信するための第１通信部と、前記子装置のオペレーティングシステム上で動作する所定のアプリケーションソフトウェアの動作状態を問い合わせるための第１問合せ通信信号を前記子装置へ前記第１通信部で送信し、前記第１問合せ通信信号に対して前記子装置から応答があったか否かを判定する第１問合せ処理部と、自機のオペレーティングシステム上で動作する所定のアプリケーションソフトウェアの動作状態を判定する第１動作状態判定処理部と、オペレーティングシステム上で動作する所定のアプリケーションソフトウェアの動作状態を問い合わせるための第２問合せ通信信号を前記子装置から前記第１通信部で受信した場合に、前記第１動作状態判定処理部に前記アプリケーションソフトウェアの動作状態を判定させ、前記第１動作状態判定処理部が前記アプリケーションソフトウェアの動作を判定した場合に、前記アプリケーションソフトウェアの動作を通知するための第１動作通知通信信号を、前記第２問合せ通信信号の送信元の子装置へ前記第１通信部で送信する第１動作通知処理部とを備える。好ましくは、他の一態様では、上述の被監視者監視システムの親装置において、外部に情報を出力するユーザインターフェースをさらに備え、前記第１問合せ処理部は、前記第１問合せ通信信号に対する返信の無い子装置があった場合に、前記第１問合せ通信信号に対する返信の無い子装置があった旨を前記ユーザインターフェースで出力する。
【００７８】
他の一態様にかかる被監視者監視システムにおける親装置の動作状態監視方法は、外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置の動作状態監視方法であって、前記子装置のオペレーティングシステム上で動作する所定のアプリケーションソフトウェアの動作状態を問い合わせるための第１問合せ通信信号を前記子装置へ送信し、前記第１問合せ通信信号に対して前記子装置から応答があったか否かを判定する第１問合せ処理工程と、自機のオペレーティングシステム上で動作する所定のアプリケーションソフトウェアの動作状態を判定する第１動作状態判定処理工程と、オペレーティングシステム上で動作する所定のアプリケーションソフトウェアの動作状態を問い合わせるための第２問合せ通信信号を前記子装置から前記第１通信部で受信した場合に、前記第１動作状態判定処理部に前記アプリケーションソフトウェアの動作状態を判定させ、前記第１動作状態判定処理部が前記アプリケーションソフトウェアの動作を判定した場合に、前記アプリケーションソフトウェアの動作を通知するための第１動作通知通信信号を、前記第２問合せ通信信号の送信元の子装置へ送信する第１動作通知処理工程とを備える。
【００７９】
このような被監視者監視システムの親装置および該親装置の動作状態監視方法は、前記第１問合せ通信信号を子装置へ送信することで子装置におけるアプリケーションソフトウェアの動作状態を監視し、そして、子装置から前記第２問合せ通信信号を受信した場合に自機のアプリケーションソフトウェアの動作状態を判定してその動作が判定された場合に前記第１動作通知通信信号を前記第２問合せ通信信号の送信元の前記子装置へ送信する。したがって、上記親装置およびその動作状態監視方法は、専用の装置を別途に導入することなく、親装置と子装置との間で相互に状況を監視できる。
【００８０】
他の一態様では、上述の被監視者監視システムの親装置において、前記第１問合せ処理部は、前記第１問合せ通信信号に対する返信の無い子装置があった場合に、前記第１問合せ通信信号に対する返信の無い子装置があった旨を出力させるための不応答出力指令通信信号を、前記ユーザインターフェースを持つ前記子装置へ送信する。
【００８１】
このような被監視者監視システムの親装置は、前記不応答出力指令通信信号を、前記ユーザインターフェースを持つ前記子装置へ送信するので、ユーザインターフェースを持たなくても、前記第１問合せ通信信号に対する返信の無い子装置があった旨を出力させ、その旨をユーザに報知できる。
【００８２】
他の一態様では、これら上述の被監視者監視システムの親装置において、前記ユーザインターフェースを持つ前記子装置は、前記ユーザインターフェースの１つとして表示装置を備える。
【００８３】
このような被監視者監視システムの親装置は、前記第１問合せ通信信号に対する返信の無い子装置があった旨をユーザに視覚によって簡易に認識させ得る。
【００８４】
他の一態様にかかる被監視者監視システムの子装置は、外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置であって、通信するための第２通信部と、前記親装置のオペレーティングシステム上で動作する所定のアプリケーションソフトウェアの動作状態を問い合わせるための第２問合せ通信信号を前記親装置へ前記第２通信部で送信し、前記第２問合せ通信信号に対して前記親装置から応答があったか否かを判定する第２問合せ処理部と、自機のオペレーティングシステム上で動作する所定のアプリケーションソフトウェアの動作状態を判定する第２動作状態判定処理部と、オペレーティングシステム上で動作する所定のアプリケーションソフトウェアの動作状態を問い合わせるための第１問合せ通信信号を前記親装置から前記第２通信部で受信した場合に、前記第２動作状態判定処理部に前記アプリケーションソフトウェアの動作状態を判定させ、前記第２動作状態判定処理部が前記アプリケーションソフトウェアの動作を判定した場合に、前記アプリケーションソフトウェアの動作を通知するための第２動作通知通信信号を、前記親装置へ前記第２通信部で送信する第２動作通知処理部とを備える。好ましくは、他の一態様では、上述の被監視者監視システムの子装置において、外部に情報を出力するユーザインターフェースをさらに備え、前記第２問合せ処理部は、前記親装置から前記第２問合せ通信信号に対する返信が無い場合に、前記親装置から前記第２問合せ通信信号に対する返信が無い旨を前記ユーザインターフェースで出力する。好ましくは、他の一態様では、上述の被監視者監視システムの子装置において、前記第２問合せ処理部は、前記親装置から前記第２問合せ通信信号に対する返信が無い場合に、前記親装置から前記第２問合せ通信信号に対する返信が無い旨を出力させるための第２不応答出力指令通信信号を、前記ユーザインターフェースを持つ前記子装置へ送信する。
【００８５】
他の一態様にかかる被監視者監視システムにおける子装置の動作状態監視方法は、外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置の動作状態監視方法であって、前記親装置のオペレーティングシステム上で動作する所定のアプリケーションソフトウェアの動作状態を問い合わせるための第２問合せ通信信号を前記親装置へ送信し、前記第２問合せ通信信号に対して前記親装置から応答があったか否かを判定する第２問合せ処理工程と、オペレーティングシステム上で動作する所定のアプリケーションソフトウェアの動作状態を問い合わせるための第１問合せ通信信号を前記親装置から受信した場合に、前記第２動作状態判定処理工程で前記アプリケーションソフトウェアの動作状態を判定し、前記第２動作状態判定処理工程で前記アプリケーションソフトウェアの動作を判定した場合に、前記アプリケーションソフトウェアの動作を通知するための第２動作通知通信信号を、前記親装置へ送信する第２動作通知処理工程とを備える。
【００８６】
このような被監視者監視システムの子装置および該子装置の動作状態監視方法は、前記第２問合せ通信信号を親装置へ送信することで親装置におけるアプリケーションソフトウェアの動作状態を監視し、そして、親装置から第１問合せ通信信号を受信した場合に自機のアプリケーションソフトウェアの動作状態を判定してその動作が判定された場合に前記第２動作通知通信信号を前記親装置へ送信する。したがって、上記子装置およびその動作状態監視方法は、専用の装置を別途に導入することなく、親装置と子装置との間で相互に状況を監視できる。
【００８７】
他の一態様にかかる被監視者監視システムは、外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムであって、前記親装置は、これら上述のいずれかの親装置であり、前記子装置は、上述の子装置である。
【００８８】
このような被監視者監視システムは、専用の装置を別途に導入することなく、相互に状況を監視できる。
【００８９】
この出願は、２０１５年６月９日に出願された日本国特許出願特願２０１５−１１６６４５を基礎とするものであり、その内容は、本願に含まれるものである。
【００９０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９１】
本発明によれば、被監視者監視システムの親装置および該親装置の動作状態監視方法、被監視者監視システムの子装置および該子装置の動作状態監視方法、ならびに、該被監視者監視システムが提供できる。
【図１】
2016199503.tif 000003
【図２】
2016199503.tif 000004
【図３】
2016199503.tif 000005
【図４】
2016199503.tif 000006
【図５】
2016199503.tif 000007
【図６】
2016199503.tif 000008
【図７】
2016199503.tif 000009
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置であって、
通信するための第１通信部と、
前記子装置のオペレーティングシステム上で動作する所定のアプリケーションソフトウェアの動作状態を問い合わせるための第１問合せ通信信号を前記子装置へ前記第１通信部で送信し、前記第１問合せ通信信号に対して前記子装置から応答があったか否かを判定する第１問合せ処理部と、
自機のオペレーティングシステム上で動作する所定のアプリケーションソフトウェアの動作状態を判定する第１動作状態判定処理部と、
オペレーティングシステム上で動作する所定のアプリケーションソフトウェアの動作状態を問い合わせるための第２問合せ通信信号を前記子装置から前記第１通信部で受信した場合に、前記第１動作状態判定処理部に前記アプリケーションソフトウェアの動作状態を判定させ、前記第１動作状態判定処理部が前記アプリケーションソフトウェアの動作を判定した場合に、前記アプリケーションソフトウェアの動作を通知するための第１動作通知通信信号を、前記第２問合せ通信信号の送信元の子装置へ前記第１通信部で送信する第１動作通知処理部とを備える、
被監視者監視システムの親装置。
【請求項２】
前記第１問合せ処理部は、前記第１問合せ通信信号に対する返信の無い子装置があった場合に、前記第１問合せ通信信号に対する返信の無い子装置があった旨を出力させるための不応答出力指令通信信号を、前記ユーザインターフェースを持つ前記子装置へ送信する、
請求項１に記載の被監視者監視システムの親装置。
【請求項３】
前記ユーザインターフェースを持つ前記子装置は、前記ユーザインターフェースの１つとして表示装置を備える、
請求項１または請求項２に記載の被監視者監視システムの親装置。
【請求項４】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置であって、
通信するための第２通信部と、
前記親装置のオペレーティングシステム上で動作する所定のアプリケーションソフトウェアの動作状態を問い合わせるための第２問合せ通信信号を前記親装置へ前記第２通信部で送信し、前記第２問合せ通信信号に対して前記親装置から応答があったか否かを判定する第２問合せ処理部と、
自機のオペレーティングシステム上で動作する所定のアプリケーションソフトウェアの動作状態を判定する第２動作状態判定処理部と、
オペレーティングシステム上で動作する所定のアプリケーションソフトウェアの動作状態を問い合わせるための第１問合せ通信信号を前記親装置から前記第２通信部で受信した場合に、前記第２動作状態判定処理部に前記アプリケーションソフトウェアの動作状態を判定させ、前記第２動作状態判定処理部が前記アプリケーションソフトウェアの動作を判定した場合に、前記アプリケーションソフトウェアの動作を通知するための第２動作通知通信信号を、前記親装置へ前記第２通信部で送信する第２動作通知処理部とを備える、
被監視者監視システムの子装置。
【請求項５】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記親装置の動作状態監視方法であって、
前記子装置のオペレーティングシステム上で動作する所定のアプリケーションソフトウェアの動作状態を問い合わせるための第１問合せ通信信号を前記子装置へ送信し、前記第１問合せ通信信号に対して前記子装置から応答があったか否かを判定する第１問合せ処理工程と、
自機のオペレーティングシステム上で動作する所定のアプリケーションソフトウェアの動作状態を判定する第１動作状態判定処理工程と、
オペレーティングシステム上で動作する所定のアプリケーションソフトウェアの動作状態を問い合わせるための第２問合せ通信信号を前記子装置から受信した場合に、前記第１動作状態判定処理工程で前記アプリケーションソフトウェアの動作状態を判定させ、前記第１動作状態判定処理工程で前記アプリケーションソフトウェアの動作を判定した場合に、前記アプリケーションソフトウェアの動作を通知するための第１動作通知通信信号を、前記第２問合せ通信信号の送信元の子装置へ送信する第１動作通知処理工程とを備える、
被監視者監視システムにおける親装置の動作状態監視方法。
【請求項６】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムにおける前記子装置の動作状態監視方法であって、
前記親装置のオペレーティングシステム上で動作する所定のアプリケーションソフトウェアの動作状態を問い合わせるための第２問合せ通信信号を前記親装置へ送信し、前記第２問合せ通信信号に対して前記親装置から応答があったか否かを判定する第２問合せ処理工程と、
自機のオペレーティングシステム上で動作する所定のアプリケーションソフトウェアの動作状態を判定する第２動作状態判定処理工程と、
オペレーティングシステム上で動作する所定のアプリケーションソフトウェアの動作状態を問い合わせるための第１問合せ通信信号を前記親装置から受信した場合に、前記第２動作状態判定処理工程で前記アプリケーションソフトウェアの動作状態を判定し、前記第２動作状態判定処理工程で前記アプリケーションソフトウェアの動作を判定した場合に、前記アプリケーションソフトウェアの動作を通知するための第２動作通知通信信号を、前記親装置へ送信する第２動作通知処理工程とを備える、
被監視者監視システムにおける子装置の動作状態監視方法。
【請求項７】
外部に情報を出力するユーザインターフェースを持つ子装置を少なくとも含む１または複数の前記子装置と、前記子装置と通信可能に接続され前記子装置を管理する親装置とを備え、前記子装置および前記親装置を用いて監視対象である被監視者を監視する被監視者監視システムであって、
前記親装置は、請求項１ないし請求項３のいずれか１項に記載の親装置であり、
前記子装置は、請求項４に記載の子装置である、
被監視者監視システム。
【国際調査報告】
2016199503.tif 000010
2016199503.tif 000011
2016199503.tif 000012